(57)【要約】【課題】容易に、迅速に、かつ正確にバランス重りを嵌込むこと。【解決手段】乗物の車輪のバランスを調整するバランス調整機であって、乗物の車輪のバランスを調整するためのバランス調整シャフトを支持するベースフレームと、前記車輪を照明する照明手段とを備え、前記照明手段が前記バランス調整シャフトの周りに配置された複数の光源からなるバランス調整機。【選択図】図２
2010066259.tif 000002
【特許請求の範囲】
【請求項１】
乗物の車輪のバランスを調整するバランス調整機であって、乗物の車輪のバランスを調整するためのバランス調整シャフトを支持するベースフレームと、前記車輪を照明する照明手段とを備え、前記照明手段が前記バランス調整シャフトの周りに配置された複数の光源からなるバランス調整機。
【請求項２】
前記光源が前記バランス調整シャフトの周りに環状のパターンで配置される請求項１記載のバランス調整機。
【請求項３】
前記光源は、複数の区域に分割される請求項１記載のバランス調整機。
【請求項４】
前記区域の少なくとも１つは、９０度の円弧に沿って、前記バランス調整シャフトの周りに延びる請求項３記載のバランス調整機。
【請求項５】
前記光源の少なくともその一部が、前記バランス調整シャフトに搭載された車輪の方を向いている請求項１記載のバランス調整機。
【請求項６】
前記光源から出射される光ビームは、前記バランス調整シャフトに平行な方向に沿うように向けられた請求項１記載のバランス調整機。
【請求項７】
前記光源が発光ダイオードである請求項１記載のバランス調整機。
【請求項８】
前記照明手段は、バランス調整シャフトとベースフレームとの接続点において、前記ベースフレームに設置されている請求項１記載のバランス調整機。
【請求項９】
車輪上の参照点を確認するために前記車輪上に画像を投影するように構成された少なくとも１つのパターン生成器をさらに備える請求項１記載のバランス調整機。
【請求項１０】
前記パターン生成器はレーザポインタである請求項９記載のバランス調整機。
【請求項１１】
前記車輪上に投影される前記画像が１本の線である請求項９記載のバランス調整機。
【請求項１２】
前記パターン生成器が複数のパターン生成器からなる請求項９記載のバランス調整機。
【請求項１３】
前記パターン生成器は前記バランス調整シャフトの周りに配置される請求項１２記載のバランス調整機。
【請求項１４】
パターン生成器の少なくとも１つが、３時，６時，９時および１２時を備えるリストから選択される位置に配置される請求項１３記載のバランス調整機。
【請求項１５】
前記光源が複数の区域に分割され、前記パターン生成器の少なくとも１つが２つの前記区域の間に配置されている請求項１３記載のバランス調整機。
【発明の詳細な説明】
【技術分野】
【０００１】
この発明は、乗物の車輪のバランスを調整するバランス調整機に関する。
【背景技術】
【０００２】
道路上を移動する乗物の車輪は、タイヤにおける不規則な重量分布を相殺するのに適した、鉛や他の材料で作られた小さなバランス調整重りを車輪のリムに嵌込むバランス調整作業をひんぱんに必要とすることは、よく知られている。
【０００３】
この作業を行うために、バランス調整機が一般に用いられるが、それは水平回転シャフト、所謂「バランス調整シャフト」を備え、バランス調整を施す車輪がそのシャフト上に１つ以上の調心および固定部品によって一体的に設置される必要がある。
【０００４】
車輪のアンバランスの測定は、車輪がバランス調整シャフト上で回転したときに、バランス調整シャフトに沿って設けられた力変換器のような電子又は電気機械装置によって行われる。
【０００５】
アンバランス測定には、一般的に他の特性測定、例えば、車輪真円度測定、車輪偏心度測定、接地面摩耗量測定などが追加され、それらは通常、調整機のフレームに搭載されバランス調整シャフトの方に向けられた適当な非接触（レーザ，超音波など）測定センサによって測定される。
【０００６】
必要な測定が行われると、調整機は、車輪のリムに嵌込んで車輪の不規則性を相殺するバランス調整重りの量を算出することができる。
【０００７】
バランス調整重りは、通常、調整機又は作業者自身によって選ばれた車輪リムの１つ以上の正確な点に作業者により手で嵌込まれる。
【０００８】
重りの嵌込み作業は必ずしも効果的で容易であるとは限らない。というのは、バランス調整重り嵌込み点は車輪リムの内側に位置するので、うまく照明されないからである。
【０００９】
この欠点を克服するために、作業者は作業現場で用いられるタイプの電気トーチを使用することができるが、一方の手のみでバランス調整重りを嵌込み、他の手は車輪リム内部に光を導くために用いなければならないという欠点を有する。
【００１０】
一方、特別なタイプのバランス調整機は、バランス調整シャフトのほぼ下側に設置され車輪の内面を照明しようとするハロゲンランプを有する。
【００１１】
しかしながら、そのようなハロゲンランプの照明は完全なものではなく部分的であることが多い。というのは生成される光が均一に分散されず、単一点、つまりランプそれ自体から出射されるからである。
【００１２】
従って、これによってリムの領域が、よく照明される領域と影の領域とに分割されてしまう。
【００１３】
バランス調整重りを嵌込む作業に作業者が実際に介在することを限定する従来のバランス調整機の他の欠点は、重りを嵌込む正確な位置（通常は「１２時」に対応する位置）を、正しく確認することが必ずしもできないことがあるということである。
【００１４】
この点において、この明細書における「３時」、「６時」、「９時」、「１２時」という表現は、車輪の周囲の対応する角度位置が時計の文字盤のように１２時間に仮想的に分割され、「６時」と「１２時」がバランス調整シャフトを通る垂直面と車輪の交差によって定義され、「３時」と「９時」がバランス調整シャフトを通る水平面と車輪の交差によって定義されることを意味する。
【００１５】
作業者は車輪上の「１２時」を確認するために、バランス調整シャフトを通過する垂直線を観念的に追跡し、それらの位置を概略的に求めることによってバランス調整重りを設置するが、これは正確でないという危険性を伴う。
【００１６】
この欠点を克服するために、一連の直線および／又は角度アクチュエータにレーザポインタを搭載しアクチュエータを動かせて、作業者がバランス調整重りを嵌込まねばならない車輪の正確な点に向かって光ビームを導かせるようにしたバランス調整機が見られる。
【００１７】
しかしながら、これらの可動式のレーザポインタもまた種々の欠点を有する。つまり、それらは特に複雑で高価であり、場合によってはそれらが設けられているにもかかわらず、作業者は作業を単純にするため、および／又は、習慣により、「１２時」の位置にバランス重りを嵌込むシステムを採用し続ける。
【発明の概要】
【発明が解決しようとする課題】
【００１８】
この発明の主目的は、使用に際して実用的で、平易で、機能的であり、作業者がさほど困難なく、とりわけ迅速で正確にバランス重りを嵌込むことができる、乗物の車輪のバランス調整機を提供することである。
【００１９】
この発明の他の目的は、使用に際して単純で、合理的で、容易で、効率的であるという点で、背景技術の上記欠点を克服することが可能な乗物の車輪のバランス調整機を提供することである。
【課題を解決するための手段】
【００２０】
上記目的は、乗物の車輪のバランスを調整するバランス調整機であって、乗物の車輪のバランスを調整するためのバランス調整シャフトを支持するベースフレームと、前記車輪を照明する照明手段とを備え、前記照明手段が前記バランス調整シャフトの周りに配置された複数の光源からなるバランス調整機により達成される。
【図面の簡単な説明】
【００２１】
【図１】この発明によるバランス調整機の斜視図である。
【図２】図１の要部拡大斜視図である。
【図３】この発明によるバランス調整機の照明手段の拡大斜視図である。
【図４】車輪のバランス調整中におけるこの発明によるバランス調整期の他の角度から見た斜視図である。
【発明を実施するための形態】
【００２２】
この発明は、乗物の車輪のバランスを調整するバランス調整機であって、乗物の車輪のバランスを調整するためのバランス調整シャフトを支持するベースフレームと、前記車輪を照明する照明手段とを備え、前記照明手段が前記バランス調整シャフトの周りに配置された複数の光源からなるバランス調整機を提供するものである。
前記光源が前記バランス調整シャフトの周りに環状のパターンで配置してもよい。
前記光源は、複数の区域に分割してもよい。
前記区域の少なくとも１つは、９０度の円弧に沿って、前記バランス調整シャフトの周りに延びてもよい。
【００２３】
前記光源の少なくともその一部が、前記バランス調整シャフトに搭載された車輪の方を向いていてもよい。
前記光源から出射される光ビームは、前記バランス調整シャフトに平行な方向に沿うように向けられてもよい。
前記光源が発光ダイオードであってもよい。
前記照明手段は、バランス調整シャフトとベースフレームとの接続点において、前記ベースフレームに設置されてもよい。
車輪上の参照点を確認するために前記車輪上に画像を投影するように構成された少なくとも１つのパターン生成器をさらに備えてもよい。
【００２４】
前記パターン生成器はレーザポインタであってもよい。
前記車輪上に投影される前記画像が１本の線であってもよい。
前記パターン生成器が複数のパターン生成器からなってもよい。
前記パターン生成器は前記バランス調整シャフトの周りに配置されてもよい。
パターン生成器の少なくとも１つが、３時，６時，９時および１２時を備えるリストから選択される位置に配置されてもよい。
前記光源が複数の区域に分割され、前記パターン生成器の少なくとも１つが２つの前記区域の間に配置されていてもよい。
【００２５】
図１〜図４において、乗物の車輪のバランスを調整するバランス調整機１が示される。
【００２６】
調整機１は地面に設置されたベースフレーム２を備え、ベースフレーム２はバランス調整する乗物用車輪Ｒを固定するバランス調整シャフト３を支持する。
【００２７】
特に、ベースフレーム２は、ほぼ垂直の側面パネル２ａを有する主ブロック２から構成され、側面パネル２ａからバランス調整シャフト３が水平方向に突出している。
【００２８】
車輪Ｒは、バランス調整シャフト３に搭載された時、主ブロック２の側面パネル２ａに対面する側面を備える。
【００２９】
主ブロック２は、バランス調整シャフト３をそれ自体の軸中心に回転させるモータ手段や、車輪Ｒのアンバランスを検出して修正する器具および装置を備える。
【００３０】
調整機１は照明手段４を備え、照明手段４は、車輪Ｒがバランス調整シャフト３に搭載された時に車輪Ｒの内面に光を当てて、バランス調整重りの嵌込み作業中の作業者を助ける。
【００３１】
照明手段４は、バランス調整シャフト３の周りに配置された複数の光源によって形成される。
【００３２】
とくに、光源４はバランス調整シャフト３とベースフレーム２との接続点において主ブロック２の側面パネル２ａに設置され、バランス調整シャフト３の周りに環状パターンで配置される。
【００３３】
光源４は一連の発光ダイオードからなり、それらの発光ダイオードはベースフレーム２の側面パネル２ａに対面する車輪Ｒの側面に向けられる。
【００３４】
この点に関して、発光ダイオード４は、光ビームがバランス調整シャフト３にほとんど平行な方向に向くように配置される。
【００３５】
発光ダイオード４は、異なるグループに分割され、複数の区域５を形成する。全部で４つの区域５が存在し、各々はバランス調整シャフト３の周りにほぼ９０度に対応する円弧上に延び、４つの区域５はバランス調整シャフト３の周りに３６０度にわたって設置される。
【００３６】
４つの区域５は、全部そろって点灯して車輪Ｒの内面全体を照らすことができ、また、別々に点灯して作業者にとって実際に関心のある車輪Ｒの一部のみを照らすこともできる。
【００３７】
調整機１は４個のパターン生成器６ａ，６ｂ，６ｃ，６ｄを備え、それらはバランス調整シャフト３の周りに配置され、車輪Ｒ上に少なくとも１種類の画像を投影して車輪Ｒ上の一連の参照点を確認するようになっている。
【００３８】
例えば、パターン生成器６ａ，６ｂ，６ｃ，６ｄは、レーザポインタからなり、車輪Ｒ上投影されるレーザポインタの画像は求心線７ａ，７ｂ，７ｃ，７ｄ、つまり、車輪Ｒの中心に向かう線を描く。特に、図示されるこの実施形態では、一方から他方へ９０度にわたって揺動する４つのレーザポインタ６ａ，６ｂ，６ｃ，６ｄが設けられている。
【００３９】
４つのレーザポインタ６ａ，６ｂ，６ｃ，６ｄは、それぞれ時計の「３時」、「６時」、「９時」、「１２時」に対応する位置に配置され、車輪Ｒ上に同じ数の求心線（中心に向かう線）７ａ，７ｂ，７ｃ，７ｄを投影する（図４参照）。
【００４０】
レーザポインタ６ａ，６ｂ，６ｃ，６ｄは、照明手段４と一体化され、２つの隣接する区域５の間にそれぞれ挿入されている。
【００４１】
レーザポインタ６ａ，６ｂ，６ｃ，６ｄがベースフレーム２の側面２ａ上に搭載されると、それらは固定されて常に空間の同じ方向に求心線７ａ，７ｂ，７ｃ，７ｄを投影する。それによって、４つの基本参照点が車輪Ｒ上で確認され、バランス調整用重りの嵌込み作業中において作業者を助ける。
【００４２】
レーザポインタ６ａ，６ｂ，６ｃ，６ｄによって投影されるレーザビームの振幅は、調整機１に適用される全サイズの車輪、特に、小車輪および大車輪に適合する十分な求心線７ａ，７ｂ，７ｃ，７ｄの長さを保証するものである。
【００４３】
他の実施形態においては、レーザポインタの数が異なり、例えば、「１２時」に配置された１つだけのレーザポインタや、車輪Ｒの周りに等しいピッチで配置された８個のレーザポインタが考えられる。
【００４４】
上述の発明がどのように目的を達成するかが、実際に確認された。
【００４５】
この点において、バランス調整シャフトの周りに一連の光源を設けることにより、バランス調整を施す車輪を発散光によって、均一に、かつ、完全に、照明することができることは、強調されるべきである。
【００４６】
さらに、発光ダイオードの全区域又は１つの区域のみで照明することにより、全車輪又は作業者にとって関心のある領域のみを照明することが可能である。
【００４７】
さらに、車輪上の１つ以上の基本的な参照点を必要に応じて確認することができるレーザポインタを設けることにより、単純で実用的なシステムで、バランス調整用重りの嵌込み作業が著しく助けられるということは、注目されるべきである。
【００４８】
事実、作業者が「１２時」の位置を概略的に評価せざるを得ない従来のバランス調整機により生じることとは違って、この発明による調整機では、「１２時」、「３時」、「６時」および「９時」の位置がレーザポインタにより容易に確認される。
【符号の説明】
【００４９】
１    バランス調整機
２    ベースフレーム、主ブロック
２ａ  側面パネル
３    バランス調整シャフト
４    照明手段、発光ダイオード、光源
５    区域
６ａ，６ｂ，６ｃ，６ｄ  パターン生成器、レーザポインタ
７ａ，７ｂ，７ｃ，７ｄ  求心線
Ｒ    乗物の車輪
【図１】
2010066259.tif 000003
【図２】
2010066259.tif 000004
【図３】
2010066259.tif 000005
【図４】
2010066259.tif 000006